(57)【特許請求の範囲】
【請求項１】
一枚のブランクシートから一体的に打ち抜かれた箱体形成片から成り、前記箱体形成片には、第一側面板、上面板、第二側面板、底面板が順に互いに平行に連接され、前記第一側面板、前記上面板、前記第二側面板、前記底面板の連接方向に対して直角な所定の端部に側面部材が延設され、前記箱体形成片を組み立てた状態で、前記第一側面板、前記上面板、前記第二側面板及び前記底面板が矩形の外側筒状体を形成し、その両側端部が前記側面部材で成る第一側蓋及び第二側蓋で各々閉じられ、前記外側筒状体の前記上面板を含む領域に、開口蓋部が設けられている緩衝機能付包装用箱において、
前記底面板の連接方向の端辺に、第一糊付板、緩衝仕切板、及び第二糊付板が順に連接され、
前記第一糊付板は、連接方向長さが、前記第一及び第二側面板の連接方向長さよりも短く、前記底面板との境界が第一折罫線で区切られ、
前記緩衝仕切板には、前記第一糊付板の前記第一側蓋側の端部から前記連接方向に延設され、前記第一糊付板との境界が第二折罫線で区切られた上方支持部と、前記上方支持部の延設方向の端部から前記第二側蓋側に延設された連結部と、前記連結部の延設方向の端部から前記底面板側に延設され前記連結部との境界が第三折罫線で区切られた側方支持部とが設けられ、
前記第二糊付板は、前記緩衝仕切板の前記連結部の端部に前記連接方向に延設され、前記連結部との境界が第五折罫線で区切られ、
前記箱体形成片を組み立てた状態で、前記外側筒状体の内側で、前記第二糊付板の裏面が前記第二側面板の裏面に糊付され、前記第一糊付板の表面が前記第一側面板の裏面に糊付けされ、前記第二折罫線を正折りし前記第五折罫線を逆折りすることによって、前記第一糊付板と前記第二糊付板とで支持された前記上方支持部及び前記連結部が、前記底面板の上方に隙間を空けて対面し、前記第三折罫線を正折りし第四折罫線を逆折りすることによって、前記側方支持部が前記第一糊付板の側方に隙間を空けて対面することを特徴とする緩衝機能付包装用箱。
【請求項２】
前記上方支持部の内側端部と前記第二側蓋との間隔は、筒状収容物の長さ方向の寸法よりも僅かに長く、前記側方支持板と前記第一糊付板とが対面する間隔は、前記筒状収容物の幅方向の寸法よりも僅かに長く設けられ、前記側方支持部には、その延設方向の端部から前記底面板側に延設され前記側方支持部との境界が第四折罫線で区切られた糊付片が設けられ、前記糊付片の裏面が前記底面板の裏面に糊付されている請求項１記載の緩衝機能付包装用箱。
【請求項３】
前記箱体形成片を組み立てた状態で、前記連結部の前記第一側面板側の端辺が、前記筒状収容物の胴部よりも細くなっている部分の形状に沿って形成され、前記筒状収容物が収納可能な向きを規制する請求項１又は２記載の緩衝機能付包装用箱。
【発明の詳細な説明】
【技術分野】
【０００１】
この発明は、外側筒状体の内側に緩衝用に仕切られた収容部が一体に設けられ、瓶などの収容物を衝撃から保護する緩衝機能付包装用箱に関する。
【背景技術】
【０００２】
従来から、ブランクシートから一体的に打ち抜かれた箱体形成片を折り曲げて糊付し、ワンタッチで引き起こして組み立て可能な包装箱がある。また、衝撃に弱い収容物を保護するため、衝撃を吸収する緩衝用の仕切りを一体に備える緩衝機能付包装箱も提案されている。
【０００３】
例えば、特許文献１に開示されているように、４つの側壁、上蓋及び下蓋によって密閉状態に組み立てられる角柱状の包装箱であって、箱内部に設けた仕切り片と、上支え片又は下支え片とによって、瓶類である収容物の胴部と、上面又は底面とを移動不能に保持し、さらに、前記側壁面上の一部に折り線とミシン目で囲った取出し扉を有する瓶類包装箱がある。この瓶類包装箱は、一枚の箱体形成片から成り、組み立てた状態で、収容物の胴部を、４つの側壁で囲んだ筒状体のほぼ対角線の位置に配置される仕切り片と、互いに隣接する２つの側壁との間で保持する構造になっている。
【先行技術文献】
【特許文献】
【０００４】
【特許文献１】特開２０００−１５３８２７号公報
【発明の概要】
【発明が解決しようとする課題】
【０００５】
特許文献１の瓶類包装箱の場合、仕切り片は、上記対角線方向の一端が所定の側壁の裏面に糊付けにより固定されているものの、反対側の一端が所定の側壁の裏面に摺動自在に支持されている構造になっている。従って、収容物が収納された状態で比較的大きな衝撃を受けると、仕切り片が大きく撓んでしまい十分な緩衝効果を得ることができない。また、収容物を収納した状態で長期間放置されると、収容物の重量を受けて仕切り片が円弧状に変形してしまい、収容物のがたつきが大きくなり、衝撃を吸収する弾力性や反発性も低下してしまうという問題があった。
【０００６】
この発明は、上記背景技術に鑑みて成されたもので、収容物のがたつきを小さく抑え、衝撃を吸収する緩衝性能を長期間維持することができ、組み立ても容易な緩衝機能付包装用箱を提供することを目的とする。
【課題を解決するための手段】
【０００７】
本発明は、一枚のブランクシートから一体的に打ち抜かれた箱体形成片から成り、前記箱体形成片には、第一側面板、上面板、第二側面板、底面板が順に互いに平行に連接され、前記第一側面板、前記上面板、前記第二側面板、前記底面板の連接方向に対して直角な所定の端部に側面部材が延設され、前記箱体形成片を組み立てた状態で、前記第一側面板、前記上面板、前記第二側面板及び前記底面板が矩形の外側筒状体を形成し、その両側端部が前記側面部材で成る第一側蓋及び第二側蓋で各々閉じられ、前記外側筒状体の前記上面板を含む領域に、開口蓋部が設けられている緩衝機能付包装用箱であって、前記底面板の連接方向の端辺に、第一糊付板、緩衝仕切板、及び第二糊付板が順に連接され、前記第一糊付板は、連接方向長さが、前記第一及び第二側面板の連接方向長さよりも短く、前記底面板との境界が第一折罫線で区切られ、前記緩衝仕切板には、前記第一糊付板の前記第一側蓋側の端部から前記連接方向に延設され、前記第一糊付板との境界が第二折罫線で区切られた上方支持部と、前記上方支持部の延設方向の端部から前記第二側蓋側に延設された連結部と、前記連結部の延設方向の端部から前記底面板側に延設され前記連結部との境界が第三折罫線で区切られた側方支持部とが設けられ、前記第二糊付板は、前記緩衝仕切板の前記連結部の端部に前記連接方向に延設され、前記連結部との境界が第五折罫線で区切られている緩衝機能付包装用箱である。
【０００８】
前記箱体形成片を組み立てた状態で、前記外側筒状体の内側で前記第二糊付板の裏面が前記第二側面板の裏面に糊付され、前記第一糊付板の表面が前記第一側面板の裏面に糊付けされ、前記第二折罫線を正折りし前記第五折罫線を逆折りすることによって、前記第一糊付板と前記第二糊付板とで支持された前記上方支持部及び前記連結部が、前記底面板の上方に隙間を空けて対面し、前記第三折罫線を正折りし第四折罫線を逆折りすることによって、前記側方支持部が前記第一糊付板の側方に隙間を空けて対面する緩衝機能付包装用箱である。
【０００９】
また、前記上方支持部の内側端部と前記第二側蓋との間隔は、筒状収容物の長さ方向の寸法よりも僅かに長く、前記側方支持部と前記第一糊付板とが対面する間隔は、前記筒状収容物の幅方向の寸法よりも僅かに長く設けられている。前記側方支持部には、その延設方向の端部から前記底面板側に延設され前記側方支持部との境界が第四折罫線で区切られた糊付片が設けられ、前記糊付片の裏面が前記底面板の裏面に糊付される。
【００１０】
さらに、前記箱体形成片を組み立てた状態で、前記連結部の前記第一側面板側の端辺が、前記筒状収容物の胴部よりも細くなっている部分の形状に沿って形成され、前記筒状収容物が収納可能な向きを規制する。
【発明の効果】
【００１１】
本発明の緩衝機能付包装用箱は、側方支持部の上端部が連結部を介して第二側面板の裏面に固定され、下端部が底面板の裏面に固定されているので、外側筒状体の側方から加わった衝撃から収容物を保護する優れた緩衝性能を有し、その緩衝性能を長期間維持することができる。
【００１２】
また、上方支持部、連結部及び側方支持部を収容物の形状に合わせて形状を調整することによって、収容物のがたつきを容易に抑えることができる。また、連結部の第一側面板側の端辺を、筒状収容物の胴部よりも細くなっている部分の形状に沿って形成し、筒状収容物が収納可能な向きを規制するようにすることにより、誤った向きに収納されるのを防止することができる。
【００１３】
さらに、この緩衝機能付包装用箱は、上記の優れた性能を有しながらも、一枚の箱体形成片で構成され、折り曲げて糊付した後、ワンタッチで組み立て可能であり、収容物の包装作業を効率よく行うことができる。
【図面の簡単な説明】
【００１４】
【図１】この発明の一実施形態の緩衝機能付包装用箱を開封したときの外観を示す斜視図（ａ），（ｂ）である。
【図２】この実施形態の緩衝機能付包装用箱を展開した箱体形成片を示す平面図である。
【図３】この実施形態の緩衝機能付包装用箱の組み立て方法を説明する平面図である。
【図４】この実施形態の緩衝機能付包装用箱の組み立て方法を説明する平面図である。
【図５】この実施形態の緩衝機能付包装用箱の組み立て方法を説明する平面図である。
【図６】この実施形態の緩衝機能付包装用箱の内部の糊付け箇所を説明する模式図である。
【発明を実施するための形態】
【００１５】
以下、この発明の緩衝機能付包装用箱の一実施形態について、図面に基づいて説明する。この実施形態の緩衝機能付包装用箱１０は、厚紙等のブランクシートから一体に打ち抜かれた箱体形成片１２を折り曲げて糊付けし、ワンタッチで引き起こして組み立てられた箱体である。緩衝機能付包装用箱１０は、図１（ａ），（ｂ）に示すように、略矩形で縦長の外側筒状体Ｓ１と、その内側に所定の隙間を空けて対面するように配置された緩衝用仕切りで仕切られた収容部Ｓ２と、外側筒状体Ｓ１の両側端部を閉鎖する一対の側蓋Ｓ３，Ｓ４で構成され、衝撃に弱い収容物Ｗを収容部Ｓ２内で緩衝的に保持する構造になっている。ここでは、収容物Ｗは、清涼飲料等が入れられたガラス瓶であり、図１（ｂ）に示すように、円筒状の胴部Ｗ１、胴部Ｗ１から連続して細く締まった首部Ｗ２、上蓋が取り付けられた頭部Ｗ３を有している。
【００１６】
図２は、箱体形成片１２を裏面から見た展開図である。箱体形成片１２は、組み立て状態で一方の側面となる第一側面板１４から順に、第一側面板１４、上面板１６、第二側面板１８、底面板２０が互いに平行に連接して形成され、折罫線２２，２４，２６で各々区切られている。第一側面板１４、上面板１６、第二側面板１８、底面板２０は、連接する幅方向がほぼ同じ長さである。連接方向の長さは、第一側面板１４及び第二側面板１８がほぼ等しく、収容物Ｗの胴部Ｗ１の直径よりも僅かに長い。一方、上面板１６及び底面板２０は、ほぼ等しいが第一側面板１４及び第二側面板１８よりも長い。
【００１７】
第一側面板１４の、上面板１６との連接方向に対して直角な一端辺には、台形状の側面部材であるフラップ２８が折罫線３０で区切られて設けられている。フラップ２８の折罫線３０から先端までの長さは、上面板１６の連接方向長さの１／２程度である。同様に、第一側面板１４の折罫線３０と反対側の端辺にも、フラップ２８とほぼ同形のフラップ３２が折罫線３４で区切られて設けられている。
【００１８】
上面板１６の、第一側面板１４との連接方向に対して直角な一端辺であって、フラップ２８と隣接する端辺には、台形状の側面部材である第一側蓋片３６が折罫線３８で区切られて設けられている。第一側蓋片３６の折罫線３８から先端までの長さは、第一側面板１４の連接方向長さよりも僅かに短い。同様に、上面板１６の折罫線３８と反対側の端辺には、第二側蓋片４０が折罫線４２で区切られて設けられている。第二側蓋片４０は、第一側蓋片３６とほぼ同形である。
【００１９】
また、上面板１６には、折罫線２２と折罫線２４との間を結ぶ２本のミシン目４４が設けられ、第一側面板１４には、２本のミシン目４４の端部を台形状に結ぶ開封用切込線４６が設けられている。このミシン目４４と開封用切込線４６とで囲まれた部分が、収容物Ｗを取り出すための開口蓋部４８である。
【００２０】
第二側面板１８の、上面板１６との連接方向に対して直角な一端辺であって、第一側蓋片３６と隣接する端辺には、フラップ２８とほぼ同形のフラップ５０が折罫線５２で区切られて設けられている。同様に、第二側面板１８の折罫線５２と反対側の端辺にも、フラップ５０とほぼ同形のフラップ５４が折罫線５６で区切られて設けられている。
【００２１】
底面板２０の、第二側面板１８との連接方向に対して直角な一端辺であって、フラップ５０と隣接する端辺には、台形状の側面部材である第一側蓋片５８が折罫線６０で区切られて設けられている。同様に、底面板２０の折罫線６０と反対側の端辺には、第二側蓋片６２が折罫線６４で区切られて設けられている。第一側蓋片５８及び第二側蓋片６２は、第一側蓋片３８及び第二側蓋片４０とほぼ同形である。
【００２２】
さらに、底面板２０の連接方向の端辺に、第一糊付板６６、緩衝仕切板６８及び第二糊付板７０が順に連接されている。
【００２３】
第一糊付板６６は、底面板２０との境界が第一折罫線７２で区切られており、連接方向長さが、第一側蓋片５８側の領域と第二側蓋片６２側の領域とで異なっている。第一側蓋片５８側領域の上記連接方向長さは、第一側面板１４及び第二側面板１８の上記連接方向長さの約１／２であり、第二側蓋片６２側領域の連接方向長さは、第一側面板１４の連接方向の端辺から開封用切込線４６までの長さよりも短い。
【００２４】
緩衝仕切板６８は、上方支持部７６、連結部７８、側方支持部８０及び糊付片８２で構成されている。上方支持部７６は、第一糊付部６６の第一側蓋片５８側の端部から上記連接方向に幅狭に延設され、第一糊付部６６との境界が第二折罫線７４で区切られている。また、上方支持部７６には、上方支持部７６自身を撓みにくくするためにエンボス加工が施されて成る複数の筋状痕７６ａが設けられている。連結部７８は、上方支持部７６の延設方向の端部から第二側蓋片６２側に延設されている。すなわち、上方支持部７６と連結部７８はＬ字状に連続し、当該Ｌ字状部分の上方支持部７６側の一辺の長さは、上面板１６及び底面板２０の連接方向長さよりも僅かに短く、Ｌ字状部分の連結部７８側の一辺の長さは、上面板１６及び底面板２０が連接する幅寸法よりも僅かに短くなっている。
【００２５】
側方支持部８０は、連結部７８の延設方向の端部から第二側蓋片６２側に延設され、連結部７８との境界が第三折罫線８４で区切られている。側方支持部８０の延設方向長さは、第一糊付板６６の第一側蓋片５８側領域の上記連接方向長さとほぼ等しい。糊付片８２は、側方支持部８０の先端に台形状に延設され、側方支持部８０との境界が第四折罫線８６で区切られている。糊付片８２の先端は、第一糊付板６６の第二側蓋片６２側の端辺に達しているが、切断線８８で分離されている。また、側方支持部８０には、第四折罫線８６の折り曲げを容易にするため、第四折罫線８６の中ほどの位置にコの字状の切り込み９０が設けられている。
【００２６】
さらに、連結部７８は、上方支持部７６と側方支持部８０との間に位置する第一側面板５８側の端辺に突部７８ａが設けられている。突部７８ａは、収容物Ｗの細い部分である頭部Ｗ３の形状に沿った形状に設けられている。詳しくは後で述べる。
【００２７】
第二糊付板７０は、緩衝仕切板６８の上記Ｌ字状部分の連結部７８側の端辺に設けられ、緩衝仕切板６８との境界が第五折罫線９２で区切られている。第二糊付部７０の連接方向長さは、第一糊付板６６の第一側蓋片５８側領域の上記連接方向長さとほぼ等しい。
【００２８】
次に、緩衝機能付包装用箱１０の組み立て方法の一例について説明する。ここで、図３〜図５は箱体形成片１２の裏面を見たものであり、以下、箱体形成片１２の表面が凸になる折り方を正折り、そして裏面が凸になる折り方を逆折りと称する。
【００２９】
まず、図３に示すように、第二糊付板７０の裏面に糊９４を、糊付片８２の裏面に糊９６をそれぞれ塗布し、図４に示すように、第一折罫線７２を正折りする。これにより、第二糊付板７０の裏面が第二側面板１８の裏面に糊付され、糊付片８２の裏面が底面板２０の裏面に糊付される。次に、図４に示すように、第一糊付板６６の表面に糊９８を塗布し、図５に示すように、折罫線２４を正折りする。これにより、第一側面板１４の裏面が第一糊付板６６の表面に糊付される。このようにして箱体形成片１２は折り畳み状態となり、この状態で出荷される。
【００３０】
次に、収容物Ｗを収容し包装する工場等において、折罫線２２，２６を各々９０度に正折りし、四角形の箱体にする。すると、図６に示すように、第一側面板１４、上面板１６、第二側面板１８、底面板２０が、断面矩形の外側筒状体Ｓ１を形成する。このとき、外側筒状体Ｓ１の内側は、第一糊付板６６の表面が第一側面板１４の裏面に糊付されているので、第二折罫線７４が正折りされ、第二糊付板７０の裏面が第二側面板１８の裏面に糊付されているので第五折罫線９２が逆折りされ、上方支持部７６及び連結部７８で成るＬ字状部分が、底面板２０と上面板１６との間の中間位置にほぼ水平に保持される。また、糊付片８２の裏面が底面板２０の裏面に糊付されているので、第三折罫線８４が正折りされ、第四折罫線８６が逆折りされ、側方支持部８０が第一糊付板６６と隙間を空けて対面する。側方支持部８０と第一糊付板６６との間隔は、収容物Ｗの胴部Ｗ１の直径よりも僅かに長い。このようにして、図１、図６に示すように、上方支持部７６．連結部７８、側方支持部８０、底面板２０及び第一糊付板６６で囲まれた収容部Ｓ２が形成される。
【００３１】
次に、折罫線３０，５２を各々９０度に正折りしてフラップ２８，５０を倒し、さらに折罫線３８，６０を各々９０度に正折りし、第一側蓋片３６，５８を重ねて糊付し、外側筒状体Ｓ１の一方の開口部を閉鎖する第一側蓋Ｓ３が形成される。
【００３２】
この状態で、収容物Ｗを収容部Ｓ２の中に入れる。収容物Ｗは、外側筒状体Ｓ１の第二側蓋片４０，６２側の開口に、頭部Ｗ１の側から挿入され、収容部Ｓ２内に収納される。このとき、収容物Ｗを胴部Ｗ３の側から挿入しようとしても、胴部Ｗ３が連結部７８の突部７８ａにぶつかって奥まで入らない。従って、収容物Ｗが誤って逆向きに収納されるのを防止することができる。
【００３３】
収容物Ｗを入れた後、折罫線３４，５６を各々９０度に正折りしてフラップ３２，５４を倒し、さらに折罫線４２，６４を各々９０度に正折りし第二側蓋片４０，６２を重ねて糊付し、外側筒状体Ｓ１の他方の開口部を閉鎖する第二側蓋Ｓ４が形成される。これで、緩衝機能付包装用箱１０を組み立てて収容物Ｗを包装する作業が終了する。
【００３４】
収容物Ｗは、収容部Ｓ２内に収まった状態で、頭部Ｗ１方向への移動が上方支持部７６の端辺によって制限され、その反対方向への移動が第二側蓋Ｓ３によって制限され、側方への移動は、側方支持板８０又は突部７８ａと、第一糊付板６６とによって制限され、ほとんどがたつきなく保持される。
【００３５】
収容物Ｗを購入した人は、緩衝機能付包装用箱１０を開封するとき、図１に示すように、第一側面板１４の開封用切込線４６、及び上面板１６に連続するミシン目４４を破断させ、開口蓋部４８を開いて収容物Ｗを取り出す。
【００３６】
以上説明したように、緩衝機能付包装用箱１０は、側方支持部８０の上端部が連結部７８を介して第二側面板４０の裏面に固定され、下端部の糊付片８２が底面板２０の裏面に固定されている。従って、外側筒状体Ｓ１の側方から衝撃が加わったとき、両端固定された側方支持板８０により、収容物Ｗをしっかりと緩衝的に保持することができる。また、長期間放置されても、側方支持板８０が変形しにくく、良好な緩衝性能を維持することができる。
【００３７】
また、上方支持部７６、連結部７８及び突部７８ａ、側方支持部８０を収容物Ｗの形状に合わせて適宜形状を調整することによって、収容物Ｗのがたつきを一定以下に抑えることができる。また、突部７８ａ形状が、収容物Ｗの細い部分である頭部Ｗ３の形状に沿って形成され、太い部分である胴部Ｗ１の側から収納できないようになっているので、収容物Ｗが誤って逆向きに入れられるのを確実に防止することができる。
【００３８】
さらに、緩衝機能付包装用箱１０は、上記の優れた性能を有しながらも、一枚の箱体形成片１２で構成され、折り曲げて糊付した後、ワンタッチで組み立て可能であり、収容物Ｗの包装作業を効率よく行うことができる。
【００３９】
なお、この発明の緩衝機能付包装用箱は、上記実施形態に限定されるものではない。例えば、箱体形成片の素材は、紙などが好適であり、収容物の耐衝撃性やデザイン性に鑑みて、素材の選択や厚みの設定を適宜変更することができる。
【００４０】
また、例えば、上記実施形態の緩衝機能付包装用箱において、側方支持部８０と糊付片８２が連続する第二側蓋片６２側の端部を内向きにＬ字状に切り起こす構造を付加してもよい。それにより、収容部Ｓ２内の収容物Ｗが胴部Ｗ１の側へ移動するのを、当該切り起こしによって制限することができ、収容物Ｗを保護する緩衝性能をさらに向上させることができる。
【符号の説明】
【００４１】
１０  緩衝機能付包装用箱
１２  箱体形成片
１４  第一側面板
１６  上面板
１８  第二側面板
２０  底面板
２２，２４，２６，３０，３４，３８，４２，５２，５６，６０，６４  折罫線
２８，３２，５０，５４  フラップ
３６，５８  第一側蓋片
４０，６２  第二側蓋片
４８  開口蓋部
６６  第一糊付板
６８  緩衝仕切板
７０  第二糊付板
７２  第一折罫線
７４  第二折罫線
７６  上方支持部
７８  連結部
７８ａ  突部
８０  側方支持部
８２  糊付片
８４  第三折罫線
８６  第四折罫線
９２  第五折罫線
９４，９６，９８  糊
Ｓ１  外側筒状体
Ｓ２  収容部
Ｓ３  第一側蓋
Ｓ４  第二側蓋
Ｗ  収容物
【図１】
0005619491.tif 000002
【図２】
0005619491.tif 000003
【図３】
0005619491.tif 000004
【図４】
0005619491.tif 000005
【図５】
0005619491.tif 000006
【図６】
0005619491.tif 000007